(57)【要約】【課題】各種電子機器の操作に用いられる光透過性タッチパネルに関し、表示素子の表示の視認が良好に行える光透過性タッチパネルを提供することを目的とするものである。【解決手段】下面に上導電層２が形成されると共に着色された上基板１１と、上面に上導電層２と所定の間隙を空けて対向する下導電層４が形成された下基板３から光透過性タッチパネルを構成するものである。これにより、表示素子の表示の視認が良好に行えるものである。【選択図】図１
2005157543.tif 000002
【特許請求の範囲】
【請求項１】
下面に上導電層が形成された上基板と、上面に上記上導電層と所定の間隙を空けて対向する下導電層が形成された下基板からなり、上記上基板を着色した光透過性タッチパネル。
【請求項２】
下面に上導電層が形成された上基板と、上面に上記上導電層と所定の間隙を空けて対向する下導電層が形成された下基板と、上記上基板の上面又は下面の少なくとも一方を覆う樹脂層からなり、上記樹脂層を着色した光透過性タッチパネル。
【請求項３】
上基板又は樹脂層の着色の色を灰色とした請求項１又は２記載の光透過性タッチパネル。
【請求項４】
上基板又は樹脂層の表面に凹凸を形成した請求項１又は２記載の光透過性タッチパネル。
【請求項５】
上基板又は樹脂層の屈折率を、空気と上導電層、又は空気と上基板、上基板と上導電層の屈折率の中間値とした請求項１又は２記載の光透過性タッチパネル。
【発明の詳細な説明】
【技術分野】
【０００１】
本発明は、各種電子機器の操作に用いられる光透過性タッチパネルに関するものである。
【背景技術】
【０００２】
近年、ＬＣＤ等の表示素子の前面に装着された光透過性タッチパネルを通して表示素子に表示された文字や記号、絵柄等の視認を行うと共に、その上面を操作して文字の選択や決定等を行う各種電子機器が増えている中、文字や記号等の表示の視認が良好に行える光透過性タッチパネルが求められている。
【０００３】
このような従来の光透過性タッチパネルについて、図２を用いて説明する。
【０００４】
図２は従来の光透過性タッチパネルの断面図であり、同図において、１はポリエチレンテレフタレートやポリカーボネートフィルム等の光透過性の上基板で、この下面には、酸化インジウム錫や酸化錫等の光透過性の上導電層２が真空スパッタ等によって形成されている。
【０００５】
そして、この上導電層２の両端には銀やカーボン等のペーストによって印刷形成された一対の上電極（図示せず）が設けられている。
【０００６】
また、３はガラスまたはアクリルやポリカーボネート樹脂等の光透過性の下基板で、この上面には、上導電層２と同様に光透過性の下導電層４が形成されている。
【０００７】
そして、この下導電層４上面には、上電極と同様に一対の下電極（図示せず）が上電極とは直交方向の両端に設けられると共に、上導電層２と所定の間隔を保つための複数のドットスペーサー（図示せず）が所定の間隔で形成されている。
【０００８】
また、６は不織布やポリエステルフィルム等の額縁状のスペーサで、このスペーサ６の上下面に、熱可塑性樹脂からなる接着層（図示せず）が塗布形成されている。
【０００９】
そして、これら上基板１と下基板３が、上導電層２と下導電層４が所定の間隔を空けて対向するように、スペーサ６を介して外周が貼り合わされて、光透過性タッチパネルが構成されている。
【００１０】
また、この光透過性タッチパネルの下方にはＬＣＤ等の表示素子（図示せず）が配置されている。
【００１１】
以上の構成において、上電極と下電極が電子機器の検出回路に接続され、上基板１上面を指或いはペン等で押圧操作すると、上基板１が撓み、押圧された箇所の上導電層２が下導電層４に接触し、検出回路が上電極間及び下電極間に電圧を印加してこれらの電極間の抵抗比を検出して、この押圧された位置を検出するように構成されている。
【００１２】
また、表示素子からの光が下基板３、下導電層４、上導電層２、上基板１を順次透過して、上方から表示素子に表示された文字や記号等の表示の視認が行えるように構成されている。
【００１３】
なお、この出願の発明に関連する先行技術文献情報としては、例えば、特許文献１が知られている。
【特許文献１】特開平７−１６９３６７号公報
【発明の開示】
【発明が解決しようとする課題】
【００１４】
しかしながら、上記従来の光透過性タッチパネルにおいては、太陽光や照明等の外部光が上基板１上面から入射して、この上基板１下面や上導電層２下面等の反射光が大きいと、下方の表示素子に表示された文字や記号等の表示の視認が行い難くなるという課題があった。
【００１５】
本発明は、このような従来の課題を解決するものであり、表示素子の表示の視認が良好に行える光透過性タッチパネルを提供することを目的とする。
【課題を解決するための手段】
【００１６】
上記目的を達成するために本発明は、以下の構成を有するものである。
【００１７】
本発明の請求項１に記載の発明は、下面に上導電層が形成されると共に着色された上基板と、上面に上導電層と所定の間隙を空けて対向する下導電層が形成された下基板から光透過性タッチパネルを構成したものであり、上基板を着色することにより反射光を減衰できるため、表示素子の表示の視認が良好に行える光透過性タッチパネルを得ることができるという作用を有する。
【００１８】
請求項２に記載の発明は、下面に上導電層が形成された上基板と、上面に上導電層と所定の間隙を空けて対向する下導電層が形成された下基板と、上基板の上面又は下面の少なくとも一方を覆う着色された樹脂層から光透過性タッチパネルを構成したものであり、樹脂層を着色することにより反射光を減衰できるため、表示素子の表示の視認が良好に行える光透過性タッチパネルを得ることができるという作用を有する。
【００１９】
請求項３に記載の発明は、請求項１又は２記載の発明において、上基板又は樹脂層の着色の色を灰色にしたものであり、灰色は白と黒の間の無彩色であるため、下方の表示素子の表示がやや暗くはなるがこの表示の色相を変えることなく、表示素子の表示を見易くできるという作用を有する。
【００２０】
請求項４に記載の発明は、請求項１又は２記載の発明において、上基板又は樹脂層の表面に凹凸を形成したものであり、上基板又は樹脂層の表面の凹凸によりこの表面での反射を散乱させることで反射光を減衰できるため、表示素子の表示の視認が更に良好に行えるという作用を有する。
【００２１】
請求項５に記載の発明は、請求項１又は２記載の発明において、上基板又は樹脂層の屈折率を、空気と上導電層、又は空気と上基板、上基板と上導電層の屈折率の中間値としたものであり、反射率を小さくできるため、反射光を低減でき表示素子の表示の視認が良好に行えるという作用を有する。
【発明の効果】
【００２２】
以上のように本発明によれば、表示素子の表示の視認が良好に行える光透過性タッチパネルを提供することができるという有利な効果が得られる。
【発明を実施するための最良の形態】
【００２３】
以下、本発明の実施の形態について、図１を用いて説明する。
【００２４】
なお、背景技術の項で説明した構成と同一構成の部分には同一符号を付して、詳細な説明を省略化する。
【００２５】
（実施の形態）
図１は本発明の一実施の形態による光透過性タッチパネルの断面図であり、同図において、１１はポリエチレンテレフタレートやポリカーボネートフィルム等の光透過性の上基板で、カーボンブラック等の顔料や硫化染料等の染料が分散されて灰色に着色されている。
【００２６】
また、この上基板１１の下面には、酸化インジウム錫や酸化錫等の光透過性の上導電層２が真空スパッタ等によって形成されている。
【００２７】
そして、この上導電層２の両端には銀やカーボン等のペーストによって印刷形成された一対の上電極（図示せず）が設けられている。
【００２８】
また、３はガラスまたはアクリルやポリカーボネート樹脂等の光透過性の下基板で、この上面には、上導電層２と同様に光透過性の下導電層４が形成されている。
【００２９】
そして、この下導電層４上面には、上電極と同様に一対の下電極（図示せず）が上電極とは直交方向の両端に設けられると共に、上導電層２と所定の間隔を保つための複数のドットスペーサー（図示せず）が所定の間隔で形成されている。
【００３０】
また、６は不織布やポリエステルフィルム等の額縁状のスペーサで、このスペーサ６の上下面に、熱可塑性樹脂からなる接着層（図示せず）が塗布形成されている。
【００３１】
そして、これら上基板１１と下基板３が、上導電層２と下導電層４が所定の間隔を空けて対向するように、スペーサ６を介して外周が貼り合わされて、光透過性タッチパネルが構成されている。
【００３２】
また、この光透過性タッチパネルの下方にはＬＣＤ等の表示素子（図示せず）が配置されている。
【００３３】
以上の構成において、上電極と下電極が電子機器の検出回路に接続され、上基板１１上面を指或いはペン等で押圧操作すると、上基板１１が撓み、押圧された箇所の上導電層２が下導電層４に接触し、検出回路が上電極間及び下電極間に電圧を印加してこれらの電極間の抵抗比を検出して、この押圧された位置を検出するように構成されている。
【００３４】
また、表示素子からの光が下基板３、下導電層４、上導電層２、上基板１１を順次透過して、上方から表示素子に表示された文字や記号等の表示の視認が行えるように構成されている。
【００３５】
なお、この時、上基板１１が着色されているため、外部光が上基板１１上面から入射した場合の上基板１１下面や上導電層２下面等の反射光を減衰でき、やや暗くはなるが、反射光によるチラツキが小さくなって、表示素子の表示の視認が良好に行える。
【００３６】
このように本実施の形態によれば、下面に上導電層２が形成されると共に着色された上基板１１と、上面に上導電層２と所定の間隙を空けて対向する下導電層４が形成された下基板３から光透過性タッチパネルを構成することによって、反射光を減衰できるため、表示素子の表示の視認が良好に行える光透過性タッチパネルを得ることができるものである。
【００３７】
また、上記構成の他に、上基板１１を無色透明のものとして、この上基板１１の上面又は下面の少なくとも一方に可撓性で光透過性のアクリル樹脂やフッ素樹脂等の樹脂層（図示せず）を形成し、この樹脂層をカーボンブラック等の顔料や硫化染料等の染料を分散して灰色に着色しても反射光を減衰できるため、表示素子の表示の視認が良好に行える光透過性タッチパネルを得ることができる。
【００３８】
そして、上基板１１又はこの上基板１１の上面又は下面の少なくとも一方を覆う樹脂層を灰色に着色することによって、灰色は白と黒の間の無彩色であるため、下方の表示素子の表示がやや暗くはなるがこの表示の色相を変えることなく、表示素子の表示を見易くできる。
【００３９】
また、上基板１１又は樹脂層の表面に凹凸を形成することによって、この凹凸により表面での反射を散乱させることで反射光を減衰できるため、表示素子の表示の視認が更に良好に行える。
【００４０】
なお、この凹凸の形成方法として、上基板１１の表面に凹凸を形成する場合には、上基板１１の表面に硫酸や硝酸等の薬剤を用いたエッチング加工等を行い、この表面を粗すことによって容易に形成が可能である。
【００４１】
また、樹脂層の表面に凹凸を形成する場合には、アクリル樹脂にこの樹脂より比重の軽い粒子径が数μｍのシリカ等の粉体を分散させたものを印刷や塗布して樹脂層を形成することで凹凸が形成できる。
【００４２】
そして、上基板１１又は樹脂層の屈折率を、空気と上導電層２、又は、空気と上基板１１、上基板１１と上導電層２の屈折率の中間値とすることによって、反射率を小さくできるため、反射光を低減でき表示素子の表示の視認が良好に行える。
【００４３】
つまり、空気と上導電層２間の着色された上基板１１の屈折率をこれらの上下の屈折率の中間値とする場合には、例えばポリエチレンテレフタレートフィルムの上基板１１の屈折率を、屈折率が約１．０の空気と屈折率が約２．０の酸化インジウム錫の上導電層２間の約１．５の屈折率とすれば良い。
【００４４】
また、空気と上基板１１間の着色された樹脂層の屈折率をこれらの上下の屈折率の中間値とする場合には、フッ素樹脂の樹脂層を、屈折率が約１．０の空気と屈折率が約１．５のポリエチレンテレフタレートフィルムの上基板１１間の約１．４の屈折率とする。
【００４５】
更に、上基板１１と上導電層２間の着色された樹脂層の屈折率をこれらの上下の屈折率の中間値とする場合には、ポリカーボネイト樹脂の樹脂層を、屈折率が約１．５のポリエチレンテレフタレートフィルムの上基板１１と屈折率が約２．０の酸化インジウム錫の上導電層２間の約１．６の屈折率とする。
【００４６】
そして、樹脂層を表面張力が３０ｍＮ／ｍ以上のアクリル樹脂製とし、この樹脂層を上基板１１の上面に設けることによって、表面張力が大きいほど水滴や油等の液面とこの樹脂層の表面のなす、所謂、接触角が小さくなり、この表面に付着した水滴や油等の液面が薄く広がり目立ち難くなるため、表示素子の表示の視認を損なわないようにすることができる。
【００４７】
また、樹脂層に酸化インジウム錫粉末等の金属酸化物を分散し、この樹脂層の表面抵抗値を下げることによって、樹脂層が帯電し難くなりこの表面に埃や塵等が付着し難くなるため、表示素子の表示の視認を更に良好に行うことができる。
【産業上の利用可能性】
【００４８】
本発明による光透過性タッチパネルは、表示素子の表示の視認が良好に行えるものを提供することができるという有利な効果を有し、各種電子機器の操作に用いられる光透過性タッチパネル等に有用である。
【図面の簡単な説明】
【００４９】
【図１】本発明の第１の実施の形態による光透過性タッチパネルの断面図
【図２】従来の光透過性タッチパネルの断面図
【符号の説明】
【００５０】
１，１１  上基板
２  上導電層
３  下基板
４  下導電層
６  スペーサ
【図１】
2005157543.tif 000003
【図２】
2005157543.tif 000004